(57)【特許請求の範囲】
【請求項１】
フィルターアッセンブリであって、
内部チャンバーを形成するハウジングと、
前記ハウジング内に配置され、前記内部チャンバーを入口領域とフィルター処理された領域とに仕切る、フィルター要素と、
リザーバーを形成する、前記ハウジング内に配置されたコンテナであって、該コンテナは、前記入口領域と前記リザーバーとの間の流体連通を提供する第１の開口部と、前記フィルター処理された領域と前記リザーバーとの間の流体連通を提供する第２の開口部とを備える、前記コンテナと、
を備え、
前記第２の開口部は、毛細管を備え、
前記コンテナは、前記フィルター処理された領域へと延在して前記毛細管を支持するボスを備えている、フィルターアッセンブリ。  
【請求項２】
前記第１の開口部は、フィルター要素を備える、請求項１に記載のフィルターアッセンブリ。
【請求項３】
前記第１の開口部は、流体溶性シール部により覆われている、請求項１に記載のフィルターアッセンブリ。
【請求項４】
前記第２の開口部は、前記第１の開口部よりも小さい直径を有する、請求項１に記載のフィルターアッセンブリ。
【請求項５】
前記毛細管は、前記ボス内に退避されている、請求項１に記載のフィルターアッセンブリ。
【請求項６】
前記フィルター要素は、エンドキャップにより支持され、密封部材が前記ボスと該エンドキャップとの間に配置されている、請求項１に記載のフィルターアッセンブリ。
【請求項７】
前記密封部材は、圧縮シール部又は径方向シール部である、請求項６に記載のフィルターアッセンブリ。
【請求項８】
前記毛細管は、前記コンテナの内部に延在する、請求項１に記載のフィルターアッセンブリ。
【請求項９】
前記コンテナは、上側壁部と、下側壁部とを有し、これらの壁部の間に深さを形成し、前記毛細管は、前記コンテナの前記深さよりも大きい長さを有する、流れ経路を内部に形成する、請求項８に記載のフィルターアッセンブリ。
【請求項１０】
前記毛細管は、前記コンテナ内部でらせん状巻き管の形態で終わっている、請求項９に記載のフィルターアッセンブリ。
【請求項１１】
前記コンテナは、上側壁部と、下側壁部とを有し、これらの壁部の間に深さを形成し、前記毛細管は、前記コンテナの前記深さよりも小さい長さを有する、流れ経路を内部に形成する、請求項８に記載のフィルターアッセンブリ。
【請求項１２】
前記コンテナ内部に配置された第１の添加剤を備え、該添加剤は、燃料添加剤と、冷却剤添加剤と、潤滑性添加剤と、液圧添加剤と、からなるグループから選択される、請求項１に記載のフィルターアッセンブリ。
【請求項１３】
前記コンテナは、第２の添加剤のための貯蔵部を形成する第１の壁部を備えている、請求項１２に記載のフィルターアッセンブリ。
【請求項１４】
前記第１の添加剤は、前記第２の添加剤と同じである、請求項１３に記載のフィルターアッセンブリ。
【請求項１５】
前記第１の添加剤は、前記第２の添加剤とは異なっている、請求項１３に記載のフィルターアッセンブリ。
【請求項１６】
前記コンテナは、前記ハウジングの内部壁から前記コンテナを隔てるため、径方向に延在する複数のリブを備えている、請求項１に記載のフィルターアッセンブリ。
【請求項１７】
前記ハウジングは、下側ボウルを備えている、請求項１に記載のフィルターアッセンブリ。
【請求項１８】
前記下側ボウルは、前記ハウジングに脱着可能に固定されている、請求項１７に記載のフィルターアッセンブリ。
【請求項１９】
前記下側ボウルは、前記コンテナのねじ切り凹部に螺合されている、請求項１７に記載のフィルターアッセンブリ。
【請求項２０】
前記下側ボウルは、ドレインバルブを備えている、請求項１７に記載のフィルターアッセンブリ。
【請求項２１】
水センサーを備えている、請求項１７に記載のフィルターアッセンブリ。
【請求項２２】
流体をフィルター処理するためのフィルターアッセンブリであって、
内部チャンバーを形成するハウジングであって、該ハウジングは、流体用の、入口及び出口を有するナットプレートを備えている、前記ハウジングと、
前記流体が透過可能であり、前記ハウジング内に配置されている、フィルター要素と、
前記ハウジング内に配置されたコンテナであって、該コンテナは、液体添加剤を受け取るように構成されたリザーバーを形成し、該コンテナは、前記入口から流入した流体が前記リザーバー内に流れ込むことを可能にする第１の開口部と、前記リザーバー内に蓄積された液体添加剤が前記出口に流れることを可能にする第２の開口部と、を備えた、前記コンテナと、
を備え、
前記第２の開口部は、毛細管を備え、
前記毛細管は、前記コンテナの内部に延び出し、
前記コンテナは、上側壁部と、下側壁部とを有し、これらの壁部の間に深さを形成し、前記毛細管は、前記コンテナの前記深さよりも大きい長さを有する流体経路を内部に形成している、フィルターアッセンブリ。  
【請求項２３】
前記毛細管は、前記コンテナの内部で螺旋巻き管で終わっている、請求項２２に記載のフィルターアッセンブリ。
【請求項２４】
前記第１の開口部は、フィルター要素を備えている、請求項２２に記載のフィルターアッセンブリ。
【請求項２５】
前記第１の開口部は、流体溶性シール部により覆われている、請求項２２に記載のフィルターアッセンブリ。
【請求項２６】
前記第２の開口部は、前記第１の開口部よりも小さい直径を有する、請求項２２に記載のフィルターアッセンブリ。
【請求項２７】
前記ハウジングに脱着可能に固定されている下側ボウルを備えている、請求項２２に記載のフィルターアッセンブリ。
【請求項２８】
第２の添加剤のためのリザーバーとして第２コンテナを備えている、請求項２２に記載のフィルターアッセンブリ。
【請求項２９】
前記第２コンテナは、前記フィルター要素と前記コンテナとの間に配置されている、請求項２８に記載のフィルターアッセンブリ。
【請求項３０】
前記第１及び第２の開口部は、前記流体が、前記フィルター要素により可能にされている流体面速度の約２５％より小さい流体面速度で前記コンテナを通って流れることを可能にするように構成されている、請求項２２に記載のフィルターアッセンブリ。
【請求項３１】
前記第１及び第２の開口部は、前記流体が、前記フィルター要素により可能にされている流体面速度の約１０％より小さい流体面速度で前記コンテナを通って流れることを可能にするように構成されている、請求項３０に記載のフィルターアッセンブリ。
【請求項３２】
流体をフィルター処理するためのフィルターアッセンブリであって、
内部チャンバーを形成するハウジングであって、該ハウジングは、流体用の、入口及び出口を有するナットプレートを備えている、前記ハウジングと、
前記流体が透過可能であり、前記ハウジング内に配置されている、フィルター要素と、
前記ハウジング内に配置されたコンテナであって、該コンテナは、液体添加剤を受け取るように構成されたリザーバーを形成し、該コンテナは、前記入口から流入した流体が前記リザーバー内に流れ込むことを可能にする第１の開口部と、前記リザーバー内に蓄積された液体添加剤が前記出口に流れることを可能にする第２の開口部と、を備え、前記第２の開口部は、前記コンテナ内への流体の流れを制御するため、前記第１の開口部に比して縮小されている、前記コンテナと、
を備え、
前記第２の開口部は、毛細管を備え、
前記コンテナは、前記毛細管を支持するボスを備えている、フィルターアッセンブリ。  
【請求項３３】
前記第１の開口部は、フィルター要素を備えている、請求項３２に記載のフィルターアッセンブリ。
【請求項３４】
前記第１の開口部は、流体溶性シール部によって覆われている、請求項３２に記載のフィルターアッセンブリ。
【請求項３５】
前記第２の開口部は、前記第１の開口部よりも小さい直径を有する、請求項３２に記載のフィルターアッセンブリ。
【請求項３６】
前記毛細管は、前記ボス内に退避されている、請求項３２に記載のフィルターアッセンブリ。
【請求項３７】
前記フィルター要素は、エンドキャップによって支持され、密封部材は前記ボスと前記エンドキャップとの間に配置されている、請求項３６に記載のフィルターアッセンブリ。
【請求項３８】
前記コンテナは、上側壁部と、下側壁部とを有し、これらの壁部の間に深さを形成し、前記毛細管は、前記コンテナの前記深さよりも大きい長さを有する流体経路を内部に形成している、請求項３６に記載のフィルターアッセンブリ。
【請求項３９】
前記毛細管は、前記コンテナの内部で螺旋巻き管で終わっている、請求項３８に記載のフィルターアッセンブリ。
【請求項４０】
前記コンテナは、上側壁部と、下側壁部とを有し、これらの壁部の間に深さを形成し、前記毛細管は、前記コンテナの前記深さよりも小さい長さを有する流体経路を内部に形成している、請求項３２に記載のフィルターアッセンブリ。
【請求項４１】
第２の添加剤のためのリザーバーとして第２コンテナを備えている、請求項３２に記載のフィルターアッセンブリ。
【請求項４２】
前記第２コンテナは、前記フィルター要素と前記コンテナとの間に配置されている、請求項３２に記載のフィルターアッセンブリ。
【発明の詳細な説明】
【技術分野】
【０００１】
本出願は、２００４年１月２９日に出願された米国特許出願シリアル番号１０／７６７，５１３号の優先権を主張し、該出願の部分継続出願である。該出願の内容は、ここで参照したことによりその全体が本願に組み込まれる。
【０００２】
本発明は、液体フィルターシステム、並びに、取り囲まれたシステム内で液体を処理する装置に関する。
【背景技術】
【０００３】
フィルターアッセンブリは、一般に、汚染物質を濾過して取り除き、これによりエンジンや、例えばバルブ、燃料インジェクター、燃料ライン及び他の関連した構成部品等の下流側の構成部品への損傷を防止することによって、燃焼エンジンを保護するため使用されている。エンジンの性能及び耐久性を維持するため、フィルターアッセンブリは、２０００乃至４０００の車両マイル数毎程度の頻度で交換されなければならない。
【０００４】
エンジン及び関連する下流の構成部品への損傷を軽減し、及び／又はエンジンの性能を向上させるため、燃料に化学薬品を添加することが同時に重要であり得る。例えば、１９９０年代初頭以来、ディーゼル燃料の生産者は、高い硫黄含有量の燃料の燃焼に原因があると思われる環境被害を軽減するためディーゼル燃料中の硫黄含有量を相当減少させてきた。しかし、ディーゼル燃料中に自然に生じる硫黄は、潤滑剤としても機能していた。軽減の結果としての低い硫黄含有量のディーゼル燃料は、ディーゼルエンジン、特に、燃料ポンプ及びインジェクターにおいて、磨耗を増大させ、よって、エンジンの全体的作動、性能及び効率、また環境にさえも、かなりの被害を引き起こした。その結果、潤滑性のみならず、燃料の安定性、燃料の燃焼及びエンジン性能を向上させるため様々な添加剤が開発された。
【０００５】
燃料中で添加剤の一定又は所望のレベルを維持することは困難である。典型的には、オペレータは、瓶詰め添加剤又は添加剤濃縮物を、各々燃料が充填された状態で車両燃料タンクに添加する。多数の瓶詰め添加剤が市販されているが、オペレータは、しばしば、首尾一貫して各々充填された状態で添加剤を添加せず、その上、添加剤は容易には入手できず、あるいはオペレータは添加剤を備えることを忘れたりする。添加剤を燃料タンク中の燃料と組み合わせることは、均一な燃料／添加剤の混合物を高い信頼性で提供することができない。
【０００６】
燃料タンクは、燃料を混合するための高い信頼性を持つ方法を具備していない。一般に、オペレータは、添加剤と燃料とを混合するため、充填中に及び車両運動によって形成される乱流に頼っている。更には、燃料中の添加剤の濃度は、設定量の添加剤が各充填で添加されたと仮定すると、燃料タンク中の燃料の量に依存して変動し得る。
【０００７】
様々な代替方法が、添加剤を燃料に添加するため開発されてきた。一つの方法は、マルチンらに付与された米国特許番号６，２３８，５５４号に開示されているようにフィルターアッセンブリ中に燃料添加剤を提供する工程を備えている。この工程では、拡散制御条件下で燃料に添加剤を添加する。
【０００８】
別の方法は、米国特許番号５，５０７，９４２号にディビスによって開示された。この方法は、フィルターアッセンブリを備えており、該フィルターアッセンブリは、添加剤が該フィルターアッセンブリと接触したとき燃料中で分解する固体燃料添加剤を含んでいる。
【発明の開示】
【発明が解決しようとする課題】
【０００９】
本発明は、燃料アッセンブリ内の流体圧力勾配の存在を利用するか又は該流体圧力勾配を発展させることによって燃料を処理する新規な方法を提供する。フィルターアッセンブリを通って流れる燃料に燃料添加剤を連続的に添加するため圧力勾配を利用することができる。その結果、本発明は、新規な進歩を提供し、更には、関連する対象において幅広い範囲に亘る利益及び効果を提供する。
【００１０】
上述した説明は、フィルターアッセンブリに関するものであったが、本発明は、当該液体が燃料であるか否かによらず、フィルターを通って流れる流体を処理する、新規なフィルターアッセンブリ及び方法を提供する。本発明に具現化された原理は、一般にフィルターに当てはまり、フィルターアッセンブリ、液圧フィルター、潤滑剤フィルター、及び／又は冷却剤フィルターで使用することができる。
【課題を解決するための手段】
【００１１】
本発明は、新規なフィルターアッセンブリ、その製造法及び使用法に関する。本発明の様々な態様は、新規であり、非自明的であり、様々な利点を提供する。本願に含まれる本発明の実際の特性は、添付された請求の範囲を参照してのみ決定することができるが、本願で開示される好ましい実施例を特徴付けるいくつかの形態及び特徴は、以下の通り、短的に記載される。
【００１２】
一つの形態では、本発明は、内部チャンバーを形成し、入口と、出口と、該内部チャンバーを通って流れる液体のための流体経路と、を有するハウジングを備えるフィルターアッセンブリを提供する。該流体経路を通って流れる液体は、内部チャンバーの第１の領域では、流れている液体が第１の（より高い）流体動圧力を示し、第２の領域では、流れている液体が第２の（より低い）流体動圧力を示している。フィルターアッセンブリは、入口及び出口の間の流体経路に内部チャンバー内に配置されたフィルター要素と、内部チャンバー内部に配置されたコンテナと、を更に備えている。コンテナは、内部領域を形成する外側壁を有する。コンテナは、内部領域を形成する外側壁を有する。コンテナは、外側壁から延在する第１の毛細管を備えた第１の開口部と、外側壁を貫通し、第１の開口部から隔てられた第２の開口部と、を更に有する。第１の開口部及び第２の開口部は、内部チャンバーと内部領域との間の流体連通を各々提供する。液体添加剤を、内部領域に蓄積することができる。該液体添加剤を、燃料、オイル、潤滑剤及び冷却剤の少なくとも１つに利点を提供するように選択することができる。
【００１３】
別の形態では、本発明は、内部チャンバーを形成し、入口及び該内部チャンバー内への出口を有するハウジングと、該入口及び該出口の間に内部チャンバー内に配置されたフィルター要素と、備えるフィルターアッセンブリを提供する。フィルター要素は、内部チャンバーを、２つの領域、即ち、入口に近接した流入領域と、出口に近接した流出領域と、に仕切っている。フィルターアッセンブリは、内部領域を形成する、内部チャンバー内部に配置されたコンテナを更に備える。コンテナは、流入領域内に延在する第１の毛細管と、内部領域と内部チャンバーとの間で流体連通を提供する第２の毛細管と、を有する。フィルターを通って流れる液体に利点を提供するため選択された、液体の添加剤を、コンテナの内部領域に配置することができる。
【００１４】
他の形態では、本発明は、内部チャンバーを形成するハウジングと、内部チャンバーを入口領域とフィルター処理領域とに仕切るフィルター要素と、を備えるフィルターアッセンブリを提供する。コンテナは、ハウジング内に配置され、リザーバーを形成する。コンテナは、流体が入口領域からリザーバー内に流れることを可能にする第１の開口部と、添加剤、又は、添加剤及び流体の混合物がリザーバーから出口に向かってアッセンブリへと流れ出ることを可能にする第２の開口部と、を備えている。
【００１５】
他の形態では、本発明は、流体をフィルター処理するためのフィルターアッセンブリを提供する。フィルターは、内部チャンバーを形成するハウジングを有し、該ハウジングは、流体のための入口及び出口を有するナットプレートを備えている。該フィルターは、流体が透過可能であり、ハウジング内部に配置されたフィルター要素と、ハウジング内部にも配置されてコンテナと、を備えている。コンテナは、液体添加剤を受け取るように構成されたリザーバーを形成する。コンテナは、流体が入口から入ってリザーバー内に流れ込むことを可能にする第１の開口部と、リザーバー内に配置された液体添加剤が出口に向かって流れることを可能にする第２の開口部と、を更に備えている。第１の開口部及び第２の開口部は、フィルター要素を通過する主要な流れの流体面速度の約５０％より小さい流体面速度（及びこれによって対応する圧力低下）で流体がコンテナを通って流れることを可能にするように構成されている。
【００１６】
更に他の形態では、本発明は、流体をフィルター処理するためのフィルターアッセンブリを提供する。当該フィルターは、内部チャンバーを形成するハウジングであって、該ハウジングは、流体用の、入口及び出口を有するナットプレートを備えている、前記ハウジングと、流体が透過可能であり、該ハウジング内に配置されている、フィルター要素と、該ハウジング内に配置されたコンテナと、を備えている。該コンテナは、液体添加剤を受け取るように構成されたリザーバーを形成し、該コンテナは、入口から流入した流体がリザーバー内に流れ込むことを可能にする第１の開口部と、リザーバー内に蓄積された液体添加剤が出口に流れることを可能にする第２の開口部と、を更に備えていてもよい。該第２の開口部は、コンテナ内への流体の流れを減衰させるため、第１の開口部に比して縮小されている。
【００１７】
なお更に他の形態では、本発明は、添加剤を、フィルターアッセンブリを通って流れる流体内に解放する方法を提供する。本方法は、入口と、出口と、液体が流れることができるところの、該入口及び該出口の間に設けられた流体経路と、を備えるフィルターアッセンブリを構成し、入口と出口との間で流体経路に沿って流体圧力差を形成し、流体経路と流体連通した第１の開口部及び第２の開口部を備えるリザーバーを配置し、これによって、該圧力差が、リザーバー内部に配置された添加剤を流体内に解放させる、各工程を備える。
【００１８】
本発明は、フィルターアッセンブリを通って流れる液体に添加剤を供給する方法も提供する。本方法は、フィルターアッセンブリ内部に流体動圧力勾配を発生し、フィルターアッセンブリ内部のコンテナに液体添加剤を設け、フィルターアッセンブリ内部で第１の流体動圧力勾配の領域に近接してコンテナのための入口ポートを配置し、第１の流体動圧力勾配より低い第２の流体動圧力勾配の領域に近接してコンテナのための出口ポートを配置し、これによって液体添加剤がコンテナから流れ出ることを可能にする、各工程を備える。
【００１９】
更なる特徴、態様、形態、効果及び利点は、次の説明、本願に添付された図面から明らかとなろう。
【実施例】
【００２０】
本発明の原理の理解を促進するという目的のため、本願で示された実施例を参照し、特定の用語が該実施例を記載するために使用される。しかし、本発明の範囲をこれにより制限するものではないことが理解されよう。記載されたフィルター、カートリッジ及びプロセスの任意の変更及び更なる改良、本明細書に記載されたような本発明の原理の更なる応用は、本発明が関連する分野の当業者により通常想到されるものと考えられよう。
【００２１】
図１は、本発明に従って提供されるフィルターアッセンブリ１０の断面図である。図２は、同じフィルターアッセンブリ１０の分解断面図である。フィルターアッセンブリ１０は、内部チャンバー１４を形成する、ハウジング又は外側ケーシング１２を備えている。ナットプレート１６は、ケーシング１２の開放端部１３を横断して固定されている。ナットプレート１６は、少なくとも１つの入口１８、好ましくは複数の入口と、少なくとも１つの出口２０と、を提供する。図示の実施例では、ナットプレート１６は、中央に配置された出口２０を取り囲む複数の入口１８を備えている。入口１８及び出口２０の両方は、有機物ベースの燃料、潤滑油又はオイル流体等の液体、又は、水性ベースの冷却剤が、内部チャンバー１４に流入したり、該チャンバーから流出したりすることを可能にするため、内部チャンバー１４との流体連通を提供する。更には、フィルター要素２２と、容器即ちコンテナ２４と、オプションで、偏倚要素２６とが、内部チャンバー１４に設けられている。
【００２２】
フィルター要素２２は、入口１８を通って入る液体と、出口２０を通って出て行く液体との間の流体通路に配置されている。更には、フィルター要素２２は、内部チャンバー１４を、液体流入領域２８と、液体流出領域３０に仕切ることができる。フィルター要素２２は、任意の知られた市販されているフィルター材料の形態で提供される。フィルター要素として使用することができる材料の例には、ペーパー（セルロース）、布、ポリエステル、ワイヤメッシュ、プラスチックメッシュ、勾配密度メルトブラウンポリマー材料等々が含まれる。図示の実施例では、フィルター要素２２は、フィルター材料のひだ形成シートから形成された柱状スリーブとして形成されている。柱状スリーブは、中央配置軸２３を形成する。柱状スリーブのいずれの端部においても、フィルター要素２２は、流体密封シールを提供するように第１及び第２のフィルターエンドキャップ３０及び３１を用いて内部チャンバー１４内で支持されている。その結果として、フィルターアッセンブリ１０を通って流れる液体は、流入領域２８から流出領域３０へと流れるようにフィルター２２を通過しなければならない。
【００２３】
フィルターアッセンブリ１０は、燃料内の水センサー、及び／又は、外側ケーシング１２内のドレインバルブ３５を含んでいる。用途によっては、フィルターアッセンブリは、ドレインバルブを備える必要がないことが理解されよう。しかし、ドレインバルブ３５は、それが存在するときには、有機物ベースの燃料、オイル及び潤滑油等の非水性ベースの液体から分離された水を排出するために使用することができる。分離された水は、内部チャンバー１４の底部に収集することができる。水滴が、ケーシング１２の内壁と、コンテナ２４の外壁との間に流れ落ちることができる。内部チャンバー１４内でコンテナ２４を分離し中央に配置するため垂直延在スペーサー３７が設けられていてもよい。
フィルターアッセンブリ１０の下側部分の全断面の部分図である図３を更に参照すると、コンテナ２４は、内部チャンバー１４内に配置されている。液体添加剤２５を、内部チャンバー１４に蓄積させることができる。図示の実施例では、コンテナ２４は、外側ケーシング１２の閉鎖端部２７と、フィルター要素２２の下側エンドキャップ３２との間に配置されている。円形スプリングとして示されている偏倚要素２６は、フィルター要素２２の下側エンドキャップ３２に対してコンテナ２４を押圧させ、その結果、フィルター要素２２のエンドキャップ３を、ナットプレート１６又はそれらの間に配置されたシール部に対して押圧する。
【００２４】
コンテナ２４は、外側壁３４を備えている。図示の実施例では、外側壁３４は、複数のスペーサー３７を備え、各々のスペーサーが小さな軸方向に配置されたリブとして構成されている。スペーサー３７は、コンテナ２４の外側壁３４と、ケーシング１２の内側壁との間に隙間を形成し、それによって、ドレインバルブ３５が蓄積された水を除去するため使用することができる壁３４の間を分離された水が流れ落ちるようになる。外側壁３４は、内部領域４０を形成する。この実施例では、コンテナ２４は、軸線２３の回りに同心に、柱状リザーバー又は貯蔵部を形成する。コンテナ２４は、２部品（又はそれより多くの部品）構造体として設けることができ、これらの部品は接続部を介して相互接続される。該接続部は、所望の通りに、接着剤、スナップ式適合、超音波溶接、又は、スピン溶接で密封された、ねじが形成された接続部とすることができる。好ましい実施例では、コンテナ２４は、２つの構造物を連結するスピン溶接式接続部を備えた２部品構造体として提供される。
【００２５】
入口ポート４２は、外側壁３４を貫通する開口部を形成する。同様に、出口ポート４４も、壁４４を貫通する開口部を形成する。入口ポート４２及び出口ポート４４の両方は、内部チャンバー１４内の液体がコンテナ２４の内部領域４０に入ったり出たりするための通路を提供する。好ましくは、入口ポート４２及び出口ポート４４の両方は、コンテナ２４の頂壁部４１内に配置されている。
【００２６】
好ましい実施例では、入口ポート４２は、小さい直径管又は毛細管４８として形成されている。特に好ましい実施例では、毛細管４８は、内部チャンバー１４内に、フィルター要素２２に隣接して延在する所望の長さを有する。本実施例では、毛細管４８は、流入領域２８内の液体が内部領域４０へと流れ込むための流体導管を提供する。好ましくは、毛細管４８の長さ及び／又は直径は、フィルターアッセンブリ１０を通って流れる液体により発生された流体圧力を利用するため、及び、液体の一部分が所望の流量で内部領域４０に入らせるため、選択される。
【００２７】
一実施例では、毛細管４８は、コンテナ２４から、ケーシング１２とフィルター要素２２との間の入口１８に向かって延在する。一つの好ましい実施例では、毛細管４８は、フィルター要素２２の長さに亘って延在する。他の実施例では、容器２４の外部を超えて延在する毛細管４８の長さは、フィルター要素の長さの約四分の三以下となるように選択される。又は、毛細管４８の長さは、フィルター要素の長さの約二分の一以下となるように選択される。更に別の実施例では、毛細管４８の長さは、フィルター要素の長さの約四分の一以下となるように選択される。毛細管の端部４９は、円形、長円形、平坦な形態を含む様々な形態で提供することができる。又は、フィルター要素の外部とハウジングの内部との間のスペースに従うように構成することができる。
【００２８】
毛細管４８の反対側端部は、内部領域４０内にも延在することができる。図示の実施例では、毛細管４８は、コンテナ２４の下側壁部又は底部に隣接して延在する。管４８は、頂壁部４１から底壁部５１へとコンテナ２４内の所望の距離だけ延在してもよい。一実施例では、この距離は、壁部４１及び５１の間の距離の約二分の一よりも大きい。他の実施例では、この距離は、当該距離の約四分の三よりも大きい。これによって、流入する液体がコンテナ２４の頂部を横断して出口ポート４４に向かって直接流れることが防止される。流入する液体は、コンテナ２４内部に含まれる添加剤と十分に混合されるのが好ましい。液体及び添加剤の適切な混合を促進する一つの方法は、液体がコンテナ２４に残っている期間を増大させ、及び／又は、流入する液体が、出口ポート４４から出る前に内部領域に流れなければならない距離を増大させることである。代替の実施例において、毛細管４８は、コンテナ２４の底部にまで延長される必要はないということが理解されよう。
【００２９】
好ましい実施例では、液体の密度及び添加剤の密度における相違は、時間の経過に亘って均一な解放率を達成するため利用することができる（以下の記載、図１４参照）。一般には、液体の添加剤は、フィルターアッセンブリ（当該液体が有機物であるか又は水性ベースであるかに依らず）を通って流れる液体よりも密度が高い。その結果、フィルター処理された液体は、添加剤相に「浮かび上がる」傾向を有する。添加剤容器の頂部近傍の入口管を切頭し、該容器の底部近傍の出口毛細管を延長させることにより、この特性が利用される。作動中には、当該液体は、入口容器に入り、浮かび上がり、容器の頂上部に残り（主として相の間の低速拡散を除く）又は液体添加剤上に層として形成される。当該液体のより多くの部分は入口容器を通って入り、入ってきた液体は、純粋な添加剤を置換させ、該添加剤を、全濃度に近い濃度で出口管から押し出し、システムへの活性成分の非常に安定した注入をもたらす。
【００３０】
出口ポート４４は、外側壁３４の上側壁部に設けられており、入口ポート４２から間隔を隔てて配置されている。更には、図示の実施例では、出口ポート４４は、内部領域４０内で中央に延在するため外側壁３４内で中央に位置している。しかし、出口ポート４４は、コンテナ２４へと延在し及び／又は任意の部分を通って延在するため外側壁３４に所望のように位置することができる。図１に示されるように、出口ポート４４は、内部領域４０内に延在する毛細管５４により画定することができる。毛細管５４は、内部領域４０及び内部チャンバー１４の間で導管を提供する。
【００３１】
一実施例では、毛細管５４は、液体と、内部領域４０及び流入領域２８に最初に配置された添加剤との間で流体連通を提供する。流入領域２８からは、液体が、フィルター要素２２を通って流れ、流出領域３０へと流れることができる。そこから、当該液体は、出口２０を通って流れ、システムへと戻ることができる。該システムは、燃料、冷却剤、オイル、又は、潤滑油システム若しくは単一経路燃料システムのいずれかである。
【００３２】
代替実施例（図１４参照）では、毛細管５４は、当該液体及び内部領域４０内の添加剤が流出領域３０から出るための出口を提供する。本実施例では、毛細管５４は、内部領域４０内の液体及び／又は添加剤の混合物のための直接流体連通、及び究極的には出口２０への流体連通を提供する。その結果、本実施例では、当該液体及び内部領域４０内の添加剤は、フィルター要素２２を迂回することができる。本実施例は、高い圧力勾配を提供することとなろう。フィルター要素の制限効果が、動的圧力勾配（Ｐｄｙｎ）に追加されるからである。本実施例は、例えば非常に粘性のある添加剤をシステムに注入するため、特別の利点を提供することができる。所望ならば、例えば焼結された多孔性プラグ、ワイヤメッシュスクリーン等々の小さいフィルター媒体を、フィルターを迂回した大きい粒子が下流側の構成部品に損傷を引き起こすことを防止するため出口管に備えることができる。当該フィルター媒体は、出口管のいずれかの端部にも配置することができる。
【００３３】
オプションで、入口ポート４２及び／又は出口ポート４４は、溶性のシール部４３及び４５を用いて各々密封することができる。これは、フィルターアッセンブリ１０が貯蔵を安定化させることを可能にし、特に、これによって、コンテナ２４内の添加剤の活性度及び／又は体積の損失を禁止することができる。使用中には、フィルターアッセンブリ１０を通って流れる液体は、シール材料を分解し、当該液体が内部領域４０に入り、そこの添加剤と混合することを可能にする。代替例として、溶性シール部は、フィルターを通って流れる燃料の通常の作動温度にさらされたとき溶解する低い融点の材料から構成することができる。
【００３４】
一実施例では、当該液体が、例えば燃料、オイル又は潤滑材等の有機材ベースの流体であるとき、溶性シール部は、有機溶媒中で溶解可能である例えばワックス等の材料から構成される。
【００３５】
オプションで、予備充填リザーバー５６として示された別個のコンテナがフィルターアッセンブリ１０に備えられていてもよい。図示の実施例では、予備充填リザーバー５６は、コンテナ２４内に又はコンテナ上に配置されている。予備充填リザーバー５６は、仕切り部５７により内部領域４０（及び内部の液体添加剤２５）から分離されている。該仕切り部は、コンテナ２４の上側壁部であってもよい。リザーバー５６の一端部５８は、開放されていてもよく、或いは、該端部５８は、メッシュ又は他の多孔性構造で覆われていてもよい。添加剤５９は、予備充填リザーバー５６内に蓄積することができ、フィルターアッセンブリ１０を通って流れる液体へと迅速に解放するために利用可能となる。添加剤５９は、添加剤２５と同じであっても又は異なっていてもよい。好ましい実施例では、予備充填リザーバー内の添加剤５９は、フィルターアッセンブリを通って流れる液体へと分配され又は分散する、固体若しくは半固体材料である。
【００３６】
液体添加剤２５は、フィルター処理された特定の液体に有利な特性を提供する既知の市販されている組成から選択することができる。添加剤は、周囲温度において液体であっても又は適切な溶媒内で分解された固体成分であってもよい。本発明で使用するための適切な燃料添加剤の例は、潤滑援助剤、点火促進剤等を含むが、これらに限定されるものではない。潤滑援助剤の特定の例は、例えば１乃至５の炭素原子を有する飽和脂肪酸一価アルコール等の一価アルカノール、メタノール、エタノール、プロパノール、ｎ−ブタノール、イソブタノール、アミルアルコール及びイソアミルアルコール等のアルコール類と、例えばカプリル酸、ペラルゴン酸、カプリン酸、ウンデシル酸、ラウリン酸、トリデカン酸、ミリスチン酸、ステアリン酸、リノール酸、ハイパゲイン酸、オレイン酸、エライジン酸、エルカ酸、ブラッシジン酸等の飽和若しくは不飽和脂肪酸のいずれかのモノカルボン酸と、例えば、硝酸メチル、硝酸エチル、ｎ−硝酸プロピル、硝酸イソプロピル、硝酸アリル、ｎ−硝酸ブチル、硝酸イソブチル、ｓｅｃ−硝酸ブチル、ｔｅｒｔ−硝酸ブチル、ｎ−硝酸アミル、硝酸イソアミル、２−硝酸アミル、３−硝酸アミル、ｔｅｒｔ−硝酸アミル、ｎ−硝酸ヘキシル、２−硝酸エチルヘキシル、ｎ−硝酸ヘプチル、ｓｅｃ−硝酸ヘプチル、ｎ−硝酸オクチル、ｓｅｃ−硝酸オクチル、ｎ−硝酸ノニル、ｎ−硝酸デシル、硝酸シクロペンチル、硝酸シクロヘキシル、硝酸メチルシクロヘキシル、硝酸イソプロピルシクロヘキシル等の有機エステル類と、を含んでいる。これらの燃料添加剤の例は、米国特許番号４，２４８，１８２号、５，４９０，８６４号および６，０５１，０３９号において見い出すことができ、それらの各々は、ここで参照したことによりその全体が本願に組み込まれる。更には、本願で使用される「燃料」という用語は、ディーゼル、バイオディーゼル、ガソリン、ケロシン、アルコール又は他の石油蒸留物を含んでいる。その結果、添加剤は、これらの異なる燃料組成の任意のものに利点を提供するため選択することができる。
【００３７】
加えて、本明細書で記載されているようなフィルターアッセンブリは、ディーゼル及びガソリンの両方のエンジンを始めとした燃焼エンジンのための燃料分配システム、及び／又は、燃焼エンジンに直接接続されても或いは接続されなくてもよい他の任意の燃料貯蔵分配装置若しくはシステムで使用することができる。
【００３８】
冷却剤、潤滑油、液圧流体及びオイルのための添加剤を、内部領域４０及び／又は予備充填リザーバー５６のいずれかに備えることができる。
本発明で使用することができる水性冷却添加剤の例は、次のうち一つ以上が挙げられるが、これらに限定されるものではない。即ち、例えば中和されたジカルボン酸、メルカプトベンゾチアゾール、ベンゾトリアゾール、トリルトリアゾール、並びに、モリブデン酸と亜硝酸と硝酸と珪酸との各塩等の耐腐食性添加剤（好ましくは、アンモニウム、テトラアルキルアンモニウム、又は、対イオンとしてのアルカリ金属を備える）と、例えばホウ酸塩及びリン酸塩等の既知若しくは一般に使用されている緩衝剤から選択することができる緩衝剤と、消泡剤、スケール抑制剤、表面活性剤、洗剤、及び、染料を始めとした他の様々な添加剤と、である。消泡剤の例には、例えばシリコン消泡剤、ポリオキシエチレングリコール、ポリプロポキシレングリコール、又は、アセチレングリコール等のアルコール等の成分（単独又は組み合わせ）を含んでいる。スケール抑制剤の例には、単独又は組み合わせのいずれにしても、リン酸エステル、ホスフィノカルボキシレート、ポリアクリレート、ポリメタクリレート、スチレンマレインアンヒドライド、スルホネート、マレインアンヒドライドコポリマー、アクイレート−スルホンコポリマー等の成分が含まれている。本発明で使用するための表面活性剤には、単独又は組み合わせのいずれかで、アルキルスルホネート、アクリルスルホネート、リン酸エステル、スルホサクシネート、アセチレングリコール、及び、エトキシレートアルコール等々が含まれている。洗剤には、例えばリン酸エステル表面活性剤、アルキルナトリウムスルホネート、アリルナトリウムスルホネート、アルキルアリルナトリウムスルホネート、リニアアルキルベンゼンスルホネート、アルキルフェノール、エトキシレートアルコール、カルボキシルエステル等の非イオン及び／又は陰イオン成分が含まれる。冷却剤の添加剤の例は、米国特許番号４，７１７，４９５号、公開米国特許出願２００３／００４２２０８号、並びに、両方とも２０００年７月６日に出願された現在係属中の米国特許出願０９／６１１，３３２及び０９／６１１，４１３号に記載されており、これらの全ての内容は、ここで参照したことにより本願に組み込まれる。
【００３９】
潤滑剤及びオイルのための添加剤は、ＷＯ０３／０１８１６３号に記載されており、その内容はここで参照したことにより本願に組み込まれる。これらの例には、１つ以上の粘性率改善剤、抗酸化剤（酸化抑制剤としても知られている）、抗磨耗剤、及び、洗剤が含まれるが、これらに限定されるものではない。特定の例には、例えば、サリシレートエステル、スルホネート、ホスフォネート、フェネート、チオホスフォネートのナトリウム、バリウム、カルシウム又はマグネシウムの各塩等の洗剤と、アルコキシド又はカルボキシレートと、Ｎ位がアルケニル基で置換されたスクシンイミド、エステル及びポリエステル等の長鎖及び／又は高分子重無灰有機分子、有機酸のアミン及びポリアミン塩、アルキレートフェノールから誘導されたマンニッヒ塩基、メタクリレート若しくはアクリレートのコポリマー、エチレン、プロピレン、極性グループを含むプロピレンコポリマー又はビニルアセテートフマル酸エステルコポリマー等の消散剤と、例えば、ジアルキル亜鉛若しくはジアリルジチオホスフェイト、フェノール成分、有機ホスファイト、ジチオカルバミン、硫化オレフィン、ヒンダードアミン若しくは芳香族アミン、有機セレニド、リン化若しくは硫化テルペン等の抗酸化剤と、例えばジチオホスフェイト亜鉛、有機ホスフェイト、金属ジチオカルバミン、リン化若しくは硫化テルペン、硫化オレフィン、芳香族窒素成分、スルホネート、アルケニルコハク酸、プロキシレート若しくはエソキシレートアルキルフェノール、置換イミダゾール、酸化物若しくはカーボネートのバリウム、カルシウム若しくはマグネシウムの各塩等の腐食抑制剤と、例えば、ジチオリン酸の亜鉛、カルシウム、マグネシウム、ニッケル、カドミウム又はテトアルキルアンモニウムの各塩、様々なモリブデン硫黄成分、有機ホスファイト、硫化オレフィン、様々なトリアゾール、脂肪酸誘導体、及び、酸中和剤としてのアルカリ成分等の抗磨耗添加剤と、例えば、オレフィンコポリマー、エチレンープロピレンコポリマー、及び、ポリイソブチレン等の高分子重ポリマー、例えばスチレン及びブタジエン若しくはイソプレン等の様々なスチレンコポリマー等の粘性率増強剤と、例えば、アルキルナフタレン、ポリメタクリレート、架橋されたアルキルフェノール、ビニルアセテート、フマル酸エステルコポリマー、アルキルフマレート、ビニルエステルコポリマー、スチレン−エステルコポリマー、誘導アルキルメタクリレート／アクリレートコポリマー、オレフィンコポリマー、アルキレートポリスチレン等の流動点低下剤と、例えばシリコン、ポリエステル等の消泡剤と、例えば幾つかの例を称するカルボキシル酸の金属塩等の乳化剤と、が含まれている。
【００４０】
使用中には、フィルター処理されるべき液体は、ナットプレート１６の１つ以上の入口１８を通って流れ込み、そこから内部チャンバー１４へと流れ込む。図示の実施例では、液体は、流入矢印６０により指し示された方向に、流入領域２８へと流れ込む。例えば図１乃至図３に示されたフィルターアッセンブリ１０を通って流れる液体は、内部チャンバー内に動的流体圧力勾配を示すということが観察された。
【００４１】
図４は、フィルター内の様々な軸方向位置（フィルターシェルＩＤ（１２）とフィルター要素プリートＯＤ（２２）との間の隙間内の径方向中央に取られた全点）で、計算的流体力学的（ＣＦＤ）モデルにより予測された動的流体圧力を示すグラフである。当該グラフは、流体動的圧力が、軸方向速度が最高となるフィルター要素エンドキャップ３１の頂部の付近で最大となることを示している。頂部のエンドキャップの下方の動的圧力は、流体がフィルターを通って内側に運搬されるとき軸方向速度が減少するので、減少し始める。当該グラフのｙ軸は、ＣＦＤで予測されたＫＰａ単位の動的流体圧力である。ｘ軸は、動的流体圧力がＣＦＤを介して報告されたところのフィルター要素に関して測定された、フィルター内の軸方向位置に対応している。図４に示されたグラフでは、フィルター要素の底部エンドキャップは、０．１ｍのところにあり、その頂部は〜０．２２５ｍである。フィルター内の動的流体圧力の絶対値は、フィルター及びハウジングの間の隙間内の流れ速度に影響を及ぼす様々な因子に依存して変動し得る。これらの因子には、フィルターハウジング及び／又はフィルター要素の全体長さ、フィルター要素とハウジングシェルとの間の隙間サイズ（環状領域）、フィルターハウジング及び／又はフィルター要素の全体長さ、フィルター要素の形状（プリーツの数、プリーツの外径、プリーツの内径、媒体の厚さ）、フィルターケーシング及び／又はフィルター要素を通って流れる流量又は体積、並びに、流れる液体の密度が含まれている。動的圧力Ｐdynは、次の式１に従って計算することができる。
【００４２】
【数１】
0004796306.tif 000002
ここで、densityは液体密度であり、velocityは、フィルターを通って流れる液体の速度である。
【００４３】
本発明は、Ｐdynが比較的高い圧力にある入口ポート４２の位置を定め、より低い流体圧力を示す内部チャンバー内の領域に出口ポート４４を配置することによって、この観察の利点を享受する。入口ポートが流れの方向と垂直に整列するので（ピート管と類似）、沈滞領域が管の前方に形成され、動圧力を、容器を通ってゆっくりと管内に流れさせるため利用される静圧力へと変換させる。
【００４４】
図示の実施例では、入口ポート４２は、毛細管４８の開ターミナル端部により形成される。毛細管４８は、内部領域４０から壁３４を通って、フィルター要素２２と、外側ケーシング１２の内部壁との間にまで、延在する。比較的高い流体圧力の領域において毛細管４８の終端に入口ポート４２を配置することにより、液体フィルターを通って流れる液体を内部領域４０に流入させる。内部領域４０では、当該液体は、液体添加剤と混合することができる。その後、液体及び添加剤の混合物は、出口ポート４４を通って出ることができる。
【００４５】
一実施例では、出口ポート４４は、上記したように、液体及び添加剤の混合物が、流体動圧力が毛細管４８に隣接する入口領域４２の圧力よりも小さい領域においても流入領域２８に再流入することを可能にする。本実施例では、内部領域４０からの液体及び添加剤の混合物は、出口２０を通ってフィルターアッセンブリから出る前にフィルター要素２２を通って流れる。
【００４６】
代替の実施例では、出口ポート４４は、内部領域４０と流出領域３０との間の直接的な流体連通を提供する。これは、内部領域４０からの液体及び添加剤の混合物が流出領域３０に出て、そこから、流出領域３０のバルク液体と混合して燃料へと至ることを可能にする。
【００４７】
比較的高い流体圧力の領域に入口ポート４２を設け、より低い流体圧力の領域に出口ポート４４を配置することは、添加剤を流れる液体に追加するための実質的な利点を提供する。コンテナ２４内の液体添加剤の解放率は、記載されたように仕立て上げることができる。一つの好ましい実施例では、所望の解放率は、長期間に亘って比較的一定のままである。この効果は、コンテナ２４内の液体添加剤の初期粘性率を変化させることにより、変更することができる。例えば、液体添加剤の初期粘性率は、フィルターアッセンブリ１０を通って流れる液体のものよりも実質的に高い場合には、液体がコンテナ２４の内部の添加剤と混合してこれを希釈し始めたとき、液体及び添加剤の混合物の初期粘性率はゆっくりと減少し始める。高い粘性率は、出口毛細管により提供された調整的制限機能に起因して、容器２４からの添加剤の急速な初期解放を禁止する。入口毛細管も制限機能を持っていてもよいが、液体粘性率が添加剤の粘性率よりも遥かに低く、入口管は液体だけで充填されるので、出口毛細管の制限機能は、固定された圧力勾配から生じる流量を大きく調整し、設定することとなる。しかし、時間の経過と共に、コンテナ２４内の液体及び添加剤の混合物において液体の相対量が増加する。液体及び添加剤の混合物における液体成分の相対量が増大するので、その結果生じた液体及び添加剤の混合物の粘性率は減少する。粘性率における結果としての減少は、出口毛細管の制限を減少させ、これに対応する（希釈された燃料／添加剤の混合物の）流量の増大へと導き、よって、実際の活性成分（添加剤）のより安定した解放を与える。与えられた圧力勾配においては、２つの毛細管（入口及び出口）を直列に有する添加剤容器を通る流量は、各毛細管で異なる粘性率を持ち（容器により提供される粘性引きずりの寄与は無視する）、次の式（２）に従って、モデル化することができる。
【００４８】
【数２】
0004796306.tif 000003
ここで、Ｑ＝流量、Ｐ＝圧力勾配、Ｄ１＝入口管直径、Ｄ２＝出口管直径、μ２＝添加剤の粘性率、Ｌ２＝出口管の長さ、Ｌ１＝入口管の長さ、及び、μ１＝液体の粘性率である。式（２）によれば、所望の流量は、管の形状、特に管の直径Ｄ１及びＤ２を変化させることにより容易に調整することができる。流れは、管の直径に関して４乗の逆数に従って変化するからである。使用中には、添加剤の粘性率μ２は、ゆっくりと減少し、流量は増大する。この効果は、出口管が流れに対して最大の制限を提供する場合、例えばＤ１が小さい場合に、より顕著になる。添加剤／燃料の粘性率比が１０倍で作動するとき、フィルター／添加剤の容器の寿命に亘って流れの１乃至３倍の増大を達成することが典型的であると決定された。この流れの３倍の増大は、容器内の活性成分の指数関数的な濃度減少に起因した活性成分の解放率の減少を相殺させる。
【００４９】
図５及び図６は、添加剤の容器体積及び３００時間の期間内に解放される総合的な添加剤の量を始めとした他の全ての因子が等しい２つのケースに関する上記効果を示すグラフである。入口管の直径だけが、総合した添加剤の正確な解放率を達成するため調整されている。図５における第１のグラフは、出口毛細管が存在しない容器の場合に対しては（入口圧力が一定で、入口管の粘性率が一定であるが故に）如何に流量が一定しているかを示している。毛細管が容器の出口に追加されたとき、初期の流量は減少されるが、最終的な流量は、低下した粘性率に起因してほとんど３倍にまで増大した。
【００５０】
図６に示されたグラフは、これらの同じ２つのケースについての「活性成分」又は添加剤の噴射率を示している。コンテナが毛細管出口を備えていないとき、添加剤の解放率における指数関数的な低下（この場合には約８０％の減少）が予測される。コンテナが毛細管出口を備えているとき、噴射率の曲線は、希釈された容器混合物の添加剤濃度の減少を相殺する流量の増大に起因して、かなり平坦化されている（添加剤の解放率において〜５０％の減少）。両方のケースについて、３００時間の期間内に解放される添加剤の総量は、ほぼ等しい。しかし、コンテナが毛細管出口を備えているケースは、時間的により一定した解放率を提供する。これは、燃料システムのためにより良好な保護をもたらす。
【００５１】
更に、液体がコンテナ２４に入る率を変えることができる。出口ポート４４の入口ポート４２の間の圧力差を増大させることは、液体及び添加剤の混合物のコンテナ２４の内部領域４０へのより急速な流入及び流出を惹起する。入口１８により接近した毛細管４８の延長端部４９は、動圧力を増大させることができる。同様に、流出領域３０に最近接した領域等のより低い圧力の領域における毛細管５４の終端部５５は、出口ポート４４において流体動圧力を減少させることができる。
【００５２】
別の実施例では、毛細管４８及び／又は毛細管５４の形状及び／又はサイズを変化させることにより、コンテナ２４に入る流体と出る流体との間の圧力差を変化させることができる。例えば、毛細管４８及び５４のうち一方又は両方の直径を変えることができる。
【００５３】
逆に、入口ポート４２及び出口ポート４４の間の相対圧力差が小さくなるように入口ポート４２及び出口ポート４４を配置することによって、コンテナ２４を介して低い流量が提供される。
【００５４】
図７は、本発明の代替実施例に係るフィルターアッセンブリ７０の全断面のうちの部分図である。フィルターアッセンブリ７０は、フィルターアッセンブリ１０に類似して形成されている。その結果、同様の参照番号が同様の構成部品を指し示すため使用されている。
【００５５】
フィルターアッセンブリ７０は、内部チャンバー１４を形成する外側ケーシング１２を備えている。フィルター要素２２及びコンテナ７２は、内部チャンバー内に設けられている。コンテナ７２は、液体燃料添加剤７４のためのリザーバーを提供する。コンテナ７２は、外側壁７６と、入口ポート７８と、出口ポート８０と、を備えている。図示の実施例では、入口ポート７８は、実質的に入口ポート４２に関して記載されたように提供されており、毛細管８２を備えることができる。開口部８４は、出口ポート８０を形成する。開口部８４は、実質的に小さい直径又は毛細管サイズの開口部として提供することができる。開口部８４は、内部チャンバー１４と、内部領域７３との間の直接的な流体連通を提供する。一実施例では、開口部８４は、該開口部が毛細管８２の位置と径方向に反対側の位置等、流入領域２８に隣接した外側壁の一部分に位置することによって、流入領域２８に直接開放することができる。代替例として、開口部８４は、該開口部が流出領域に隣接して位置することにより、流出領域２８に直接開放することができる。
【００５６】
図８は、本発明の更に別の実施例に係るフィルターアッセンブリ９０の断面を破断した部分図である。フィルターアッセンブリ９０は、フィルターアッセンブリ８０及びフィルターアッセンブリ１０と同様に設けられている。その結果、同様の参照番号が同様の構成部品を指し示すため使用されている。フィルターアッセンブリ９０は、内部チャンバー１４に位置するコンテナ９２を備えている。コンテナ９２は、内部領域９６を形成する外側壁９４を備えている。入口ポート９８及び出口ポート１００は、外側壁９４を貫通して延在する。入口ポート９８は、毛細管４８及び／又は入口ポート７８（及び毛細管８２）を備える入口ポート４２に関して実質的に上述されたものと同様に設けることができ、出口ポート１００は、毛細管５４及び／又は出口ポート８０を備える出口ポート４４に関して実質的に上述されたものと同様に設けることができる。
【００５７】
コンテナ９２は、１つ以上の内部仕切り部１０２も備え、内部領域９６を通って進行する流体経路即ちチャンネル１０４を形成する。
図９は、断面ライン９−９に沿って取られた図５に示されたコンテナの断面図である。実質的に内部領域９６を通って進行する湾曲経路１０８を形成する螺旋壁１０６として設けられた仕切り部１０２をコンテナ９２が備えていることが図面において理解することができる。好ましい実施例では、仕切り部１０２は、コンテナ９２の全深さ、即ち、上側表面１１０から下側表面１１２まで延在する、固体部又は壁部として設けられている。他の実施例では、仕切り部１０２は、コンテナ９２の全深さに亘って延在する必要はなく、上側表面１１０若しくは下側表面１１２のいずれかに取り付けられ、又は、コンテナ９２の内部の未装着挿入体としてさえ、設けることができる。更に他の実施例では、仕切り部１０２は、固体壁でも無穴の構造体である必要もなく、仕切り部を貫通する開口部を備えることができる。
【００５８】
図示の実施例では、液体は、ポート９８を通って入り、コンテナ９２内に含まれる液体添加剤と混合する。その結果、液体及び添加剤の混合物は、該混合物がポート１００を通って出ることができる前に、仕切り部１０２により形成されたチャンネル１０４を通ってその経路を進行しなければならない。
【００５９】
図１０は、本発明の別の実施例に係るフィルターアッセンブリの断面図である。フィルターアッセンブリ１１４は、フィルターアッセンブリ９０、７０及び１０と同様に構成されている。その結果、同様の参照番号が同様の構成部品を指し示すため使用されている。フィルターアッセンブリ１１４は、添加剤のための内部領域４０を形成するコンテナ１１５を備えている。
【００６０】
コンテナ１１５は、フィルター要素の直接下流側（又はフィルター側）に開口部を提供する、入口及び出口１１２を形成する第１の毛細管１１６を備えている。出口１１２は、第２のリザーバー１２７を通って上方に延在する毛細管１２３を備えている。その結果、毛細管１２３は、第２のコンテナ１２７からコンテナ１１５への２次的な添加剤の不注意の導入を禁止するため、ダムを提供することができる。一実施例では、毛細管１２３は、第１のコンテナ１１５の上側壁部１２９内に直接成形されている。
【００６１】
更に図１１を参照すると、第１の毛細管１１６は、コンテナ１１５の内部壁部１１８に最近接して配置されていることを理解することができる。本実施例では、出口１２２は、コンテナ１１５の上側壁部１２９の中央に配置されており、従って、第１の毛細管１１６から径方向に間隔を隔てている。
【００６２】
図１２及び図１３は、本発明で使用するための交換可能なカートリッジ１２６の一実施例を示している。交換可能なカートリッジ１２６は、コンテナ１１５、９２、７２及び／又は２４に関して実質的に上述されたように構成することができる。その結果、同様の参照番号が同様の構成部品を指し示すため使用されている。交換可能なカートリッジ１２６は、入口ポート４２及び出口ポート４４を有する外側壁３４を備えている。交換可能なカートリッジ１２６は、内部チャンバーに含まれる添加剤が消費されたとき、現存するフィルターに容易に配置され、及び／又は、交換されることができるという追加の利点を提供する。図示の実施例では、カートリッジ１２６は、直接流体流れへの挿入体を備えていない。しかし、上述された挿入体の任意のものを、所望されたときには、コンテナ１２６の内部に備えることができることが理解されよう。そのようなアッセンブリは、本発明の範囲内に含まれることが意図されている。
【００６３】
図１４は、本発明に従って準備されたフィルターアッセンブリ１３０の更に別の実施例の断面図である。フィルターアッセンブリ１３０は、フィルターアッセンブリ１０、７０及び９０に関して実質的に上述されたように構成されている。その結果、同様の参照番号が同様の構成部品を指し示すため使用されている。フィルターアッセンブリ１３０は、内部チャンバー１３３のフィルター要素１３２から軸方向に間隔を隔てたコンテナ１３４を備えている。本実施例では、コンテナ１３４は、コンテナ２４、７２、９２及び１２６のうち任意のコンテナに関して実質的に上述されたように構成することができることを見出すことができる。コンテナ１３４は、取り外し可能なカートリッジであってもよく、及び／又は、所望の場合に流れを方向付けるチャンネルを備えていてもよい。コンテナ１３４は、上側ハウジング又はナットプレート１４０から下側ハウジング１３８を分離することにより内部領域から取り外すことができる。下側ハウジング１３８が上側ハウジング１４０から分離された後、フィルター要素１３２及び／又はコンテナ１３４の１つ又は両方を交換及び／又は再備え付けすることができる。例えば、コンテナ１３４は、新しいコンテナ又は添加剤が充填されたカートリッジと交換することができる。代替例として、現存するコンテナ１３４は、添加剤の新たな充填で再充填される。
【００６４】
毛細管１３６は、コンテナ１３４の内部領域１３８への入口を形成する。毛細管１３６は、フィルター要素１３２の事実上全長さを延在することを図面から観察することができる。しかし、毛細管１３６は、容器１３４内の上側壁部を通って短距離だけ延在しているだけである。毛細管１３６の終端部は、シール部（例えば、フィルターを通って流れる液体に溶解可能なシール部等）、フィルター要素、又は、多孔性メッシュ若しくは上述されたように覆う他のメッシュのうち１つ以上を備えていてもよい。
【００６５】
毛細管１４０は、コンテナ１３４から出口ポート１４２を形成する。毛細管１４０は、流出領域３０内まで延在する。オプションで、毛細管１４０は、例えば、溶解可能なシール部等のシール部、フィルター要素、又は、多孔性メッシュ若しくはいずれかの終端を覆う他のメッシュ１４１等のうち１つ以上を備えていてもよい。毛細管１４０の反対側端部は、コンテナ１３４の下側壁部又は底部付近にまで延在する。
【００６６】
本実施例では、液体は、毛細管１４０を通ってコンテナ１３４に入る。当該液体は、典型的には、コンテナ１３４内の添加剤よりも密度が小さいので、該液体は、添加剤の頂部で最初に層を形成し、ほぼ純粋な添加剤を毛細管１４０を介して、流出領域３０を通って流れる液体の一部分へと押し出す。
【００６７】
好ましい実施例では、液体密度と添加剤密度との間の差異を、時間に関してより均一な解放率を達成するため利用することができる。当該液体は液体添加剤よりも密度が小さいので、当該液体は、添加剤の層上に浮かび上がろうとする傾向があり、入口管は、添加剤容器の頂部付近で切頭され、その一方で、出口毛細管は、容器の底部付近まで延在している。作動の間には、液体は、入口容器に入って、容器の頂部に浮かんだままで残り（相の間のゆっくりとした拡散は除く）、純粋な添加剤を変位させて、該添加剤を、ほぼ全濃度で出口管から押し出し、活性成分のシステムへの非常に安定した注入を与える。
【００６８】
図１５は、フィルターアッセンブリ１５０の更に別な実施例を示している。フィルターアッセンブリ１５０は、フィルターアッセンブリ１０、７０、９０及び１３０について実質的に前述したように設けることができる。その結果、同様の参照番号が同様の構成部品を指し示すため使用されている。フィルターアッセンブリ１５０は、内部チャンバー１５４内にコンテナ１５２を備えている。毛細管１５６は、コンテナ１５２の内部領域１５８内への入口を提供する。本実施例では、毛細管１５６は、フィルター要素２２の全長さに平行な方向にほぼ該長さに沿って延在している。図１６で拡大図で示された上側エンドキャップ１５８は、毛細管１５６の上側端部１６２に向かって、下方且つ径方向に延在するシュラウド１６０を備えている。
【００６９】
本実施例では、エンドキャップシュラウド１６１は、フィルターシェル１６４と協働して流れを制限し、これによって、毛細管１５８の入口に最近接したところの速度を増大させる。これは、端部１６２における流体動圧力を増加させる。その結果、入口及びコンテナ１５２からの出口との間の圧力差は、燃料がフィルターエンドキャップシュラウドとシェルとの間で制限されなかったならば観察されたであろう圧力差よりも大きくなる。
【００７０】
図１７は、本発明の更に別の実施例に係るフィルターアッセンブリ１８０の断面図である。フィルターアッセンブリ１８０は、フィルターアッセンブリ１０のついて上記したものと同じか又は類似した構成部品のうち幾つかを備えている。従って、同様の参照番号が同様の構成部品を指し示すため使用されている。フィルターアッセンブリ１８０は、内部チャンバー１８４を形成する、外側ケーシング即ちハウジング１８２を備えている。フィルター要素２２と容器即ちコンテナ１８２は、内部チャンバー内に配置されている。フィルター要素２２は、内部チャンバー１８４を、流体流入領域１８８と、流体流出領域１９０とに仕切ることができる。加えて、フィルターアッセンブリ１８０は、収集された水を放出するためのドレインバルブ１９３を有する水収集用の分離可能な下側ボウル１９２を備えている。
【００７１】
コンテナ１８６は、内部領域１９６を形成する外側壁１９４を備えている、上述したような添加剤１９８は、内部領域１９６内に配置されている。第１に、入口２００は、流体が内部領域１９６へと流れ込むことを可能にする。出口２０２は、添加剤及び／又は流体と添加剤との混合物が、内部領域１９６から流れ出すことを可能にする。図示の実施例では、入口２００は、液体流入領域１８８からの流体が、内部領域１９６内に流れ込むことを可能にし、その一方で、出口２０２は、添加剤及び／又は流体と添加剤との混合物が、内部領域から流れ出し、流体流出領域１９０へと流れることを可能にする。コンテナ１８６には、最終的な組み立て前に、閉鎖可能又は密封可能な開口部１９１を通して液体添加剤を充填することができる。
【００７２】
入口２００は、フィルター要素又はフィルター媒体２０４によって覆われた、短い柱状のボスにより取り囲まれている。この特定の実施例では、入口２００は、毛細管である必要はなく、内部領域１９６内に延在する必要もない。むしろ入口２００は、約１ｍｍから約１０ｍｍの間の直径を有する短い柱状開口部として構成されている。フィルター媒体２０４は、所望されたときに、フィルター要素２２のため使用されたのと同じ材料又は異なる材料から形成することができる。フィルター媒体２０４は、当該開口部を横断した延在するクロスリブによって支持することができる。フィルター媒体２０４を、入口２００に亘る圧力低下を最小にするような材料から形成し、構成し及び／又はサイズを定めることができる。一実施例では、入口２００を介した流体面速度（及び、よって圧力低下、多孔性媒体に亘る流れへの制限は、流れ速度に比例しているからである）は、フィルター要素２２を通したものの約５０％であり、２５％より小さいのがより好ましく、フィルター要素２２を通って流れるため観察されたものよりも低い約１０％未満であるのが更により好ましい。
【００７３】
「流体面速度」という用語は、本願で使用されたとき、式（３）に従ってフィルター材料の表面に垂直に流れる液体の「接近速度」として定義されている。
【００７４】
【数３】
0004796306.tif 000004
ここで、ＦＶは、液体面速度であり、volumetric flowrateは、フィルター材料に接近する流体の体積流量である。
【００７５】
加えて、所望ならば、フィルター要素２０４を、流体溶解可能シール部２０６で覆い又は密封することができる。シール部２０６は、貯蔵及び輸送の間に添加剤１９８の不測の漏れを禁止するため、及び／又は、使用前に空気への添加剤の接触を防止するため設けることができる。
【００７６】
この図示された出口２０２は、毛細管２１０を備えている。毛細管２１０は、容器１８６からの添加剤（又は、流体及び添加剤の混合物）の解放率を制御するように作動することができる。毛細管２１０は、内部領域１９６から出口２０２を通って延在する。毛細管２１０の外側部分２１２は、支持構造部２１４により取り囲まれている。図示の実施例では、支持構造部２１４は、支持を提供すると共に毛細管２１０の外側部２１２に損傷を与えるリスクを最小にする、錐状ボス２１６として形成されている。更なる支持を提供すると共に組み立ての間の詰まりのリスクを減少させるため、毛細管２１０のターミナル端部は、錐状ボス２１６内に退避されるべきである。一実施例では、支持構造部２１４は、複数の径方向に延在するリブ２１７を備え、該リブは、毛細管２１０のターミナル端部を越えて延在することができる。ボス２１６が、錐体又は円錐台形状として示されているが、他の形状も考えられる。ボス２１６は、フィルター要素２２を支持するエンドキャップ２２０の内側部分の周りのシール部２１８に対抗して支持される。ボス２１６とシール部２１８との間の係合は、アッセンブリを通って流れる流体がフィルター要素２２及びコンテナ１８６の両方を迂回することを防止するため流体機密シール部を提供する。図示の実施例では、毛細管２１０及びボス２１６は、コンテナ１８６の頂上壁部内の中央に配置されている。
【００７７】
毛細管２１０は、内部領域１９６内に延在する。好ましい実施例では、毛細管２１０は、コンテナ１８６の底壁部２２２に接近した位置にまで延在する。毛細管２１０の長さは、添加剤の解放率を制御又は制限するため所望されるように変更することができる。毛細管２１０は、コンテナ１８６内の添加剤、及び／又は、添加剤／流体混合物のための流体経路を形成する。一実施例では、毛細管は、上側壁部から下側壁部まで測定された、コンテナ１８６の深さよりも大きい長さを有する流れ経路を形成する。
【００７８】
フィルターアッセンブリ１８０の本実施例は、顕著な利点を提供する。図示の実施例は、アッセンブリを通って流れる流体よりも密度が高い添加剤に対して特別な利点を提供する。図示の実施例では、入口２００は、円柱開口部として形成されている。これは、流れの添加剤解放率における変動を減少させる。入口２００と出口２０２との間で形成される圧力勾配の大部分は、毛細管２１０を横断する方向に存在するからである。かくして、毛細管の形状を、添加剤の解放率を制御するため仕立て上げることができる。この工程は、流体への添加剤の解放率を細かく調整するため毛細管２１０の長さ及び／又は直径を変化させる工程を備えることができる。毛細管２１０の直径は、（毛細管の内径）４に比例した因子により解放率を増加させる。毛細管２３２の長さを増加させることは、毛細管の長さに逆比例した因子により解放率を減少させる。
【００７９】
更には、典型的には使用の間には、フィルター媒体は、流体からの粒子を保持する。結局のところ、フィルターアッセンブリの有用寿命スパンの終わり付近では、フィルター媒体は、流入領域１８８と流出領域１９０との間の圧力差がかなり増加するのに十分なほど粒子で塞がれるようになり得る。このより大きい圧力差は、残っている液体添加剤をコンテナ１８６から流体へと押しやり、フィルターアッセンブリが交換されるとき、処理されるというよりも流体に利点を提供することができる。
【００８０】
コンテナ２３０の別の実施例の断面図を示す図１８を更に参照する。コンテナ２３０では、毛細管２３２は、底壁部２２に至る全経路に亘って延在し、螺旋巻き線２３４で終わっているものとして示されている。この形態は、内部領域１９６からの添加剤の所望の流量をなおも維持しつつ、より大きな圧力差に適合するため、効果的に、毛細管２３２を長くする。螺旋巻き線２３４は、任意の方向に延在し又は螺旋を描くことができることが理解されるべきである。しかし、毛細管２３２の端部は、底壁部２２２に最近接して配置されるのが好ましい。上記したように、典型的には、液体添加剤は、アッセンブリを通って流れる流体より密度が高い。その結果、コンテナ２３０の底壁近傍に毛細管の端部を配置することは、添加剤の全てが流体へと解放されることを確実にする。
【００８１】
図１９は、フィルターアッセンブリ１８０で使用するためのコンテナ１８６の斜視図を示している。本実施例では、コンテナ１８６は、上側壁部２４２内に形成されたリザーバー２４０を備えている。充填前添加剤を、フィルターアッセンブリ１８０内の流体に直接追加するため、リザーバー２４０内に配置することができる。これは、フィルターアッセンブリ１８０の初期利用時に、追加の「添加剤増強」を提供する。上記したように、リザーバー２４０に蓄積した充填前添加剤に対し、所望ならば、例えば、有機流体のためのワックス、又は、水性ベースの流体のための水溶性ポリマー等の流体溶性シール部又はシール材料でコートすることができる。
【００８２】
図２０は、フィルターアッセンブリ２５０の代替実施例の断面における部分図である。本実施例では、コンテナ２５２は、円柱ボス２５６を通って延在する毛細管２５４を備えて示されている。ボス２５６の頂上部にあるＯリングシール部２５８は、流体密封シールを確実にし且つ流体がフィルター要素２２及びコンテナ２５２の両方を迂回することを防止するため、下側エンドキャップ２２０に対して密封している。
【００８３】
図２１は、コンテナ１８６の下側部分及び下側ボウル１９２の分解斜視図である。コンテナ１８６は、外側壁１９４の周りに配置された複数の同心リブ２６４を備えることが本実施例から理解することができる。これによって、コンテナ１８６の外側壁１９４とハウジング１８２との間の空間又は隙間が、水が下側ボウル１９２へと落下して排出されることを可能にさせる。水は、チャンネル２６６を通ってボウル１９２へと排出されることができる。ボウル１９２は、ねじ切り支柱２６８を備えることができ、該ねじ切り支柱は、コンテナ１８６の下側部のねじ切り凹部２７０と螺合することができる。好ましい実施例では、下側ボウル１９２に、ドレインリリーフバルブ１９３を備え付けることができる。加えて、下側ボウル１９２は、内部に含まれる湿気を検知するため電子センサーを備え付けることができ、又は、水を視覚的に観察することができる透明材料から作ることができる。
【００８４】
フィルターアッセンブリ１８０は、真空側のフィルター用途に関して使用することができるという追加の利点を提供する。真空側用途では、フィルター要素２２とシェル壁１８２との間の入口領域１８８には、流体がほとんど存在せず、この位置における流体は主要には蒸気である。真空用途では、当該液体は、一般には、エンドキャップ２２０のおおよそ下方の領域及び流体流出領域１９０に拘束される。開口部２００はエンドキャップ２２０の下方にあるので、当該液体は、入口２００を通ってコンテナ１８６へと流れるため存在している。
【００８５】
本発明は、現在の分配システムに顕著な利点を提供する。コンテナ内の液体添加剤の使用は、最大量の添加剤がフィルターアッセンブリ内に含まれることを可能にする。液体添加剤は、容器の内部体積を完全に充填することができるが、固体添加剤は充填しないからである。更には、使用中にフィルターアッセンブリ内に発生した圧力勾配を利用することによって、添加剤の追加率は、使用中に発生し得る振動変化から非常に独立している。しかし、上記したような添加剤の解放率は、毛細管の長さ及び／又は直径を変化させ、添加剤を保持する容器内へと及び容器外へと導くことによって調整可能とすることができる。
【００８６】
本発明は、液体がフィルターを通って流れる状態でのみ、利益のある添加剤を当該液体に添加する方法を提供する。液体がフィルターを通って流れないとき、コンテナからの添加剤の拡散は、非常に低い分子拡散率の故に、無視できるものと測定された。分子拡散率は、液体／添加剤に関する上記実施例では、添加剤と液体相との間で２ｅ−６ｃｍ２／ｓのオーダーである二成分拡散係数により記載され、流体動圧力勾配は、対流輸送が無くなるように流れが存在しないときゼロとなる。
【００８７】
本発明は、当業者に想到できるような変更を網羅している。本発明で具体化される装置及びプロセスは、本発明の精神から逸脱することなく、変更され、再構成され、代替され、結合され、当業者に想到できる他のプロセスに追加され得る。本明細書で引用された全ての特許及び特許出願は、各々の個々の特許又は特許出願があたかも参照により本願に組み込まれるように詳細に且つ個々に示され、その全体が記載されているかのようにここで参照したことにより本願に組み込まれる。
【００８８】
特定の方向、例えば、まで、上側、頂部、底部、下方、下側、〜の頂上に、より下方に等に関する参照は、様々な構成要素をより良く同定し又は互いに区別するための説明目的のためであると理解されるべきである。これらの参照は、本願で記載されたような、装置、方法、及び／又は、作用を、如何なる仕方においても限定するものではない。
【００８９】
特に断りのない限り、本願で使用される全ての用語は、それらの通常の意味及び慣習的な意味を含むように使用される。
更には、特定の構成要素及び構成を有するフィルターアッセンブリの様々な実施例が説明され、及び／又は、図面に示されたが、フィルターアッセンブリの任意の選択された実施例は、可能な場合の他の実施例に関する特定の構成要素及び／又は構成のうち１つ以上を含むことができる。
【００９０】
本発明が図面及び前述した記載で詳細に示され、説明されたが、その開示内容は説明のためであり、文言通りに限定されるものではない。好ましい実施例のみが示され、記載されており、本発明の精神の範囲内にある全ての変更及び変形が保護されることが求められていると理解されよう。
【図面の簡単な説明】
【００９１】
【図１】図１は、本発明の一実施例に係るフィルターアッセンブリの断面図である。
【図２】図２は、図１のフィルターアッセンブリのフィルターの分解断面図である。
【図３】図３は、図１に示されたフィルターの下側部分の全断面の部分図である。
【図４】図４は、フィルターとシェルとの間でフィルターハウジング内の様々な軸方向位置で測定された、フィルターを通って流れる流体の動圧力を示すグラフである。
【図５】図５は、毛細管出口を備えた容器に入る流体の流量を、毛細管出口が設けられていない容器のものと比較したグラフである。
【図６】図６は、毛細管出口を備えた容器から出る液体添加剤（希釈を増した混合物の活性成分）の流量を、毛細管出口が設けられていない容器のものと比較したグラフである。
【図７】図７は、本発明の代替実施例に係るフィルターアッセンブリの全断面の部分図である。
【図８】図８は、本発明の更に別の代替実施例に係る流れ指向挿入体を備えたフィルターアッセンブリの、断面が破断された部分図である。
【図９】図９は、図８に示された流れ指向挿入体のライン９−９に沿って取られた断面図である。
【図１０】図１０は、本発明の別の実施例に係るフィルターアッセンブリの断面図である。
【図１１】図１１は、図１０に示された添加剤カートリッジのライン１１−１１に沿って取られた断面図である。
【図１２】図１２は、本発明で使用するための交換可能なカートリッジの斜視図である。
【図１３】図１３は、図１２で示された交換可能なカートリッジの断面図である。
【図１４】図１４は、本発明の更に別の実施例に係る交換可能なカートリッジを備えたフィルターアッセンブリの全断面における立面図である。
【図１５】図１５は、本発明のなお更に別の実施例に係る、入口管で液体速度を向上させるためのフィルター要素エンドキャップの延長シュラウドを備えたフィルターアッセンブリの断面図である。
【図１６】図１６は、図１５に示されたフィルター要素エンドキャップの延長シュラウド及び入口管の部分図である。
【図１７】図１７は、本発明の更に別の実施例に係るフィルターアッセンブリの断面図である。
【図１８】図１８は、図１７のフィルターアッセンブリで使用するための添加剤カートリッジの断面図である。
【図１９】図１９は、図１７の添加剤カートリッジの斜視図である。
【図２０】図２０は、図１７のフィルターアッセンブリで使用するためのカートリッジのための上側蓋部の代替実施例の部分断面図である。
【図２１】図２１は、本発明に係る、下側壁部を示す添加剤カートリッジの斜視図である。
【図１】
0004796306.tif 000005
【図２】
0004796306.tif 000006
【図３】
0004796306.tif 000007
【図４】
0004796306.tif 000008
【図５】
0004796306.tif 000009
【図６】
0004796306.tif 000010
【図７】
0004796306.tif 000011
【図８】
0004796306.tif 000012
【図９】
0004796306.tif 000013
【図１０】
0004796306.tif 000014
【図１１】
0004796306.tif 000015
【図１２】
0004796306.tif 000016
【図１３】
0004796306.tif 000017
【図１４】
0004796306.tif 000018
【図１５】
0004796306.tif 000019
【図１６】
0004796306.tif 000020
【図１７】
0004796306.tif 000021
【図１８】
0004796306.tif 000022
【図１９】
0004796306.tif 000023
【図２０】
0004796306.tif 000024
【図２１】
0004796306.tif 000025